(57)【要約】ヘッドバンド（２）の端部領域（２Ｃ，２Ｄ）に一般に取り付けられる、スピーカーユニット（４，６）を有する１対のイヤーピース（３，５）を備えたオーディオヘッドフォンアセンブリ（１）であって、ヘッドバンドに対するイヤーピースの位置を少なくとも２つの向きに調整するために、各イヤーピースがヘッドバンドに関係している、オーディオヘッドフォンアセンブリ（１）において、各々、離隔した２つのレグを有するワイヤーループ（７，８）が設けられており、レグは、１端部において、各イヤーピースに取り付けられており、第２の端部（７Ｃ，８Ｃ）において、相互に連結されており、イヤーピースヒンジ（９，１４）は、夫々、ヘッドバンドの端部領域（２Ｃ，２Ｄ）で支持されるヒンジボデーであって、回転のため及び長手方向変位のためにループの第１のレグを受け入れるための第１の貫通孔と、ヒンジボデーの１側面で外部に開いており第１のレグの軸周りにおけるループの回動により第２のレグを受け入れるための第２の貫通孔と、を有するヒンジボデーを備えている。
2012531806.tif 000002
【特許請求の範囲】
【請求項１】
関連するスピーカーユニット（４，６）を有する１対のイヤーピース（３，５）であって、相互に連結されたヘッドバンド（２）の各端部領域（２Ｃ，２Ｄ）に一般に取り付けられたイヤーピース（３，５）を備え、
ヘッドバンドに対するイヤーピースの位置を少なくとも２つの方向に調整できるように、各イヤーピースは、ヘッドバンドに対して、直接的又は間接的に調整可能に関連している、オーディオヘッドフォンアセンブリ（１）において、
ワイヤーループ（７，８）とイヤーピースヒンジ（９，１４）とを有し、
ワイヤーループ（７，８）は、夫々、本質的に平行で間隔を置いた２つのレグ（７Ａ，７Ｂ，８Ａ，８Ｂ）であって、１端部（７Ｄ，７Ｅ，８Ｄ，８Ｅ）において、各イヤーピースに取り付けられると共に、第２端部（７Ｃ，８Ｃ）において、相互に連結されている、レグ（７Ａ，７Ｂ，８Ａ，８Ｂ）を有し、
イヤーピースヒンジ（９，１４）は、夫々、ヘッドバンドの各端部領域（２Ｃ，２Ｄ）で支持され、
イヤーピースヒンジ（９，１４）は、夫々、大略連続的な第１の貫通孔（１１，１６）と、第２の貫通孔（１２，１７）と、を備えたヒンジ本体（１０，１５）であって、第１の貫通孔（１１，１６）は、ループの第１のレグ（７Ａ，８Ａ）をその中心軸（ＣＬ）の回りで回動できるように受け入れると共に、ループの第１のレグ（７Ａ，８Ａ）を該軸の方向における長手方向（Ｄ）に変位できるように受け入れるべく、ヒンジ本体を通して延在しており、第２の貫通孔（１２，１７）は、第１の貫通孔に平行であり且つ上記ループのレグの間隙に実質的に等しい第１の貫通孔からの所定距離を置いてヒンジ本体を通して延在しており、第２の貫通孔（１２，１７）は、第１のレグの上記軸の回りにおけるループの回動を通してループの第２のレグ（７Ｂ，８Ｂ）を解放自在に受け入れるべく、ヒンジ本体の一方の側に、その全長に沿って、外部に開口している、ヒンジ本体（１０，１５）を有することを特徴とする、オーディオヘッドフォンアセンブリ。
【請求項２】
少なくとも一方のイヤーピース（３，５）の聴取位置（ＬＰ）における各ループ（７，８）の上記第２のレグ（７Ｂ，８Ｂ）は、該レグの方向に変位できるように、上記ヒンジ本体（１０，１５）に受け入れられていることを特徴とする、請求項１記載のオーディオヘッドフォンアセンブリ。
【請求項３】
少なくとも上記ループの第１のレグ（７Ａ，８Ａ）は、所定の干渉フィットをもって、関連する上記第１の貫通孔（１１，１６）に受け入れられていることを特徴とする、請求項１又は２記載のオーディオヘッドフォンアセンブリ。
【請求項４】
上記ループの第２のレグ（７Ｂ，８Ｂ）は、同様に、所定の干渉フィットをもって、関連する上記第２の貫通孔（１２，１７）に受け入れられていることを特徴とする、請求項２又は３記載のオーディオヘッドフォンアセンブリ。
【請求項５】
上記ヒンジ本体（１０，１４）は、大略円柱であり、
上記第１の貫通孔（１１，１６）と第２の貫通孔（１２，１７）は、その中心軸（ＣＣ）に対して略直角にそれを通して延在すると共に、該中心軸（ＣＣ）に沿って互いに所定距離を置いて延在していることを特徴とする、請求項１〜４のいずれかに記載のオーディオヘッドフォンアセンブリ。
【請求項６】
上記円柱のヒンジ本体（１０，１５）は、夫々、上記ヘッドバンド（２）の関連する端部セクション（２Ｃ，２Ｄ）で回動自在に支持されていることを特徴とする、請求項５記載のオーディオヘッドフォンアセンブリ。
【請求項７】
上記円柱のヒンジ本体（１０，１５）は、該円柱の中心軸（ＣＣ）の回りで回動するように支持されており、これにより、上記イヤーピース（３，４）が、夫々、収納のため、上記ヘッドバンド（２）に向けて折り畳めるようになっていることを特徴とする、請求項６記載のオーディオヘッドフォンアセンブリ。
【請求項８】
上記第２の貫通孔（１２，１７）の上記開口している側は、該第２の貫通孔の外周から上記ヒンジ本体（１０，１４）の外部に至る、該第２の貫通孔の全長にわたって延在する溝（１３，１８）によって形成されていることを特徴とする、請求項１〜７のいずれかに記載のオーディオヘッドフォンアセンブリ。
【請求項９】
上記溝（１３，１８）は、上記第１の貫通孔（１１，１５）の中心軸（ＣＬ）を中心とする円の一部に合致する弓形を有していることを特徴とする、請求項８記載のオーディオヘッドフォンアセンブリ。
【請求項１０】
上記弓形の溝（１３，１８）の少なくとも一部は、上記ループの第２のレグ（７Ｂ，８Ｂ）の断面寸法よりも僅かに狭くなっており、これにより、該溝を通して第２の貫通孔（１２，１７）内への第２のレグの挿入に対して、適度な抵抗が与えられるようになっていると共に、第２の貫通孔から第２のレグの取り外しに対して、適度な抵抗が与えられるようになっていることを特徴とする、請求項８又は９記載のオーディオヘッドフォンアセンブリ。
【発明の詳細な説明】
【技術分野】
【０００１】
本発明は、一般に、オーディオアクセサリに関し、特に、オーディオヘッドフォン／ヘッドセットに関する。
【背景技術】
【０００２】
ヘッドフォン及び／又はヘッドセットは、今日、音楽やオーディオブックを聴いたり、電話やコンピュータを通して会話を行ったりする等、様々な年代の人々により、広範囲に様々に利用されている。このような利用の殆どにおいて、当然、音質は、非常に重要である。しかし、同様に、ヘッドフォンは、長時間使用の場合、着心地が良くて、使用者に適切にフィットすることが非常に重要である。この目的のため、ヘッドフォンは、ヘッドフォンイヤーピース又はイヤーキャップの圧力が、あらゆる使用者の耳に対して、着心地が良くて（快適で）均一なものとなるように、弾力的な材料からなるヘッドバンドを有することができる。ヘッドフォンは、また、各使用者の耳の位置にフィットするように、寸法的に調整可能であっても良い。
【０００３】
また、使用者にとって重要であり得る、ヘッドフォンの更なる特徴は、イヤーピースが、ヘッドバンドの大略面（平面）に大略垂直に延在する聴取位置から、イヤーピースが該面（平面）に延在する位置まで、調整可能であることである。このような調整は、使用者が、聴取を一時的に休止する間、ヘッドフォンの首回りの装着をより快適なものとする。更に、一般的な他の望ましい特徴は、ヘッドフォンが、非使用時に、バッグやポケットの中に容易に仕舞えるように、容易に折りたためることである。
【０００４】
上記タイプのヘッドフォン用調整機能の少なくとも幾つかを実現する、ヘッドフォンの調整機構のために、数多くの解決策が提案されてきている。しかしながら、そのような従来技術の解決策の殆ど、そして、特に、１つ以上の調整機能を実現する解決策の殆どは、各機能用の分離した機構を有しており、複雑である。これは、ヘッドフォンの製造（制作）を高価なものとし、そして、多くの場合、その調整機構を扱いにくいもの（不便なもの）とすると共に非審美的なものとしている。
【発明の概要】
【発明が解決しようとする課題】
【０００５】
快適であり且つ適切に調整することができるオーディオヘッドフォンアセンブリを妥当な価格で製造（生産）することを可能にする解決策に対する一般的必要性が存在している。
【０００６】
従って、本発明の一般的（概括的）な目的は、容易に調整可能である改良されたヘッドフォンアセンブリであって、複雑ではなく且つ高価ではない調整構造（adjustment configuration）を有するヘッドフォンアセンブリを提供することである。
【０００７】
本発明の特別の目的は、異なった使用者及び異なった使用フェーズ（状態、段階）の両方に対して適合（適応）し、且つ、また、コスト（費用）効率が高い方法で製造されることができるヘッドフォンアセンブリであって、容易であり且つ融通が利く調整が可能である、改良された調整構造を有するヘッドフォンアセンブリを提案することである。
【０００８】
本発明の他のアスペクトに係る目的は、３つの異なる（明確な、別個の）方向（向き、senses）において容易であり且つ融通が利く調整が可能な、妥当なコストの改良された調整構造を有するヘッドフォンアセンブリを提供することである。
【課題を解決するための手段】
【０００９】
これらの目的や他の目的は、特許請求の範囲に記載された本発明により、達成される。
【００１０】
本発明は、一般に、各端部領域に取り付けられたイヤーピース及びスピーカー部材（エレメント）を備えたヘッドバンドを有するタイプのヘッドフォン又はヘッドセットアセンブリに関する。特に、それは、ヘッドバンドに関するイヤーピースの位置が、ヘッドフォンアセンブリのサイズを制御する目的、及び、イヤーピースをアクティブ（活動的）な聴取位置に設定、若しくはイナクティブ（非活動的）な着用位置に設定、する目的、の両方に対して、調整自在である、そのようなアセンブリに関する。容易に操作可能であり且つ廉価な調整構造を実現するために、本発明の基本概念は、イヤーピースの位置決め機能と同様に、サイズ（寸法）の制御機能（コントロール機能）が、単一の同じ調整機構に組み合わされている、そのような調整構造を提供することにある。この組み合わされた調整機構は、一端部でイヤーピースに取り付けられると共に、第２の端部で相互に接続（連結）される、２つの隔てられたレグを備えるワイヤーループと、ヘッドバンドの端部領域で支持され本体を有するイヤーピースヒンジとを有する。この本体は、その自らの軸回りで回転できるように第１のループレグを受け入れるべく該本体を通して延在する第１の貫通孔と、上記本体を通して延在する第２の貫通孔であって、第１のレグの軸を中心とするループの枢軸運動（回動運動、回転運動）を通して第２のループレグを受け入れるべくその全長に沿って外部に開いて（開口して）いる第２の貫通孔と、を有する。これにより、使用するコンポーネントパーツは少なくて済み、従って、費用効率（費用効果）が非常に高い製造（生産）が可能になる。
【００１１】
本発明の他のアスペクトによれば、付加的な調整を許容する、更に改良されたヘッドフォンアセンブリが提供される。このアスペクトの基本概念は、ヘッドバンドの関連する端部セクションにおいて、回動（回転）自在に支持される円筒形状（円柱形状）のヒンジ本体を提供することにある。これにより、各イヤーピースは、格納のために、ヘッドバンドに向けて折り畳まれることができる。これは、更に、組み合わされた調整機能を同一の調整機構に付加し、これにより、機能性対費用の観点から、それを、なお一層、コスト効率（効果）の高いものとするであろう。
【００１２】
その実施形態と同様に、進歩性を有する基本的概念の好ましい更なる展開は、従属項に記載されている。
【００１３】
上記したものに加えて、本発明により提供される利点（長所）は、本発明の実施形態に関する下記の詳細な記載を読めば、容易に理解できるであろう。
【図面の簡単な説明】
【００１４】
【図１】本発明の１実形態に係るヘッドフォンアセンブリの概略斜視図である。
【図２】図１のアセンブリのワイヤーループを有するイヤーピースの詳細図である。
【図３】図１のヘッドフォンアセンブリのヘッドバンド端部領域におけるイヤーピースヒンジの概略詳細図である。
【図４】図１のアセンブリの調整機構の部分側面図である。
【図５】調整機構のヒンジ本体に関する、図４のＡ−Ａ線縦断面図である。
【図６Ａ】聴取位置における調整機構の斜視図である。
【図６Ｂ】聴取位置における調整機構を部分断面で示す上面図である。
【図７Ａ】着用位置における調整機構の斜視図である。
【図７Ｂ】着用位置における調整機構を部分断面で示す上面図である。
【図８Ａ】聴取位置における図１のヘッドフォンアセンブリの概略前面図である。
【図８Ｂ】着用位置における図１のヘッドフォンアセンブリの概略前面図である。
【図９】格納位置における図１のヘッドフォンアセンブリの前面図であり、図８Ａ及び図８Ｂに類似する図である。
【図１０】本発明のヘッドフォンアセンブリの変形例に係る、図９に類似する前面図である。
【発明を実施するための形態】
【００１５】
本発明は、添付図面に示されるところの例示的な実施形態を参照して、説明される。当該図面には、進歩性を有するヘッドフォン構造（構成）の概略実施形態が示されている。示され、後に記載される例示的な本発明の実施形態は、概略的に記載されたヘッドフォンアセンブリに対する、進歩性を有する解決策の適用に関するものである。その説明は、本発明の好ましい実施形態を記載する目的のためになされるものであり、細部に至るまで発明を限定することを意図するものではない点が強調される。同様に、この発明の目的のために、「ヘッドフォン」という用語は、また、ヘッドセット等の類似のアクセサリを含む点が強調される。
【００１６】
複数の調整機能を有する従来のヘッドフォンが、一般的に、かなり複雑な調整機構を有していることは、発明者によって認識されてきたことであり、また、冒頭で簡単に説明された。これは、１つには、物理的に分離されたヒンジ及び他の機構が種々の調整機能を奏するように用いられている、という事実による。そのような構造の結果は、多くの場合、多数の分離したコンポーネントパーツの取り扱いとアセンブリ（組み立て）に関係するところの、かなり複雑であるのみならず、高価である、組み立て（製作、製造）プロセスである。加えて、そのような従来技術のヘッドフォン若しくはヘッドセットアセンブリは、大部分、その調整機構に関して、かなり嵩張り、そして非審美的である。
【００１７】
複数の調整機能を有する周知のヘッドフォンアセンブリの上記外観と製造（製作）に関連する、上記不都合と問題点とを克服するために、本発明は、そのような調整機構構成（構造）に対して、新しいアプローチを提案する。本発明により提供される解決策により、複雑でない機能、スリムで魅力的な外観（外見）、及び、低減される製造・組立費用の観点において、有利な改良が達成される。基本的に、本発明の有利な結果（効果）の全ては、全く同一の調整機構における幾つかの調整機能のユニークな組み合わせによって、達成される。
【００１８】
本発明は、以下に、添付図面に示される例示的な実施形態を参照して、詳細に説明される。本発明の１実施形態は、図１〜９に示されている。この１実施形態は、（非常に概略的に示す）関連するスピーカーユニット４，６を備えた１対のイヤーピース若しくはイヤーキャップ３，５を有する一般的なタイプの概略的に説明したヘッドフォンアセンブリ１に対する、進歩性を有する解決策の適用に関する。このイヤーピース３，５は、一般に、相互に連結されているヘッドバンド２の各端部領域２Ｃ，２Ｄに取り付けられており、ヘッドバンドに対して少なくとも２つの方向にイヤーピースの位置を調整できるように、直接的若しくは間接的に、ヘッドバンドに調整可能に結合（接続）されている。
【００１９】
本発明によれば、複数の調整機能を組み合わせる（連合させる、結合させる）調整機構は、各イヤーピース３，５を調整可能に支持するためのワイヤーループ７，８を有する。該ワイヤーループ７，８は、夫々、本質的に、間隔を置いて平行であるレグ７Ａ，７Ｂ及び８Ａ，８Ｂを有しており、該レグ７Ａ，７Ｂ及び８Ａ，８Ｂは、夫々、一端部７Ｄ，７Ｅ及び８Ｄ，８Ｅにおいて、互いに該レグ間の間隔（スペース）に本質的に対応する距離をもって、各イヤーピース３，５に取り付けられている。ワイヤーループ７，８の上記レグは、夫々、第２の端部７Ｃ，８Ｃにおいて相互に接続（連結）されている（図２及び図４参照）。ワイヤーループ７，８は、金属のワイヤー材料から形成することができるが、合成樹脂材料等の適切な特性（性質）を有する他の材料は、同様に、用いることができる。
【００２０】
各イヤーピース３，５に対して、上記調整機構は、更に、一般に９及び１４で示されるヒンジを、夫々、有しており、それは、夫々、ヘッドバンドの端部領域２Ｃ，２Ｄで支持されている。該ヒンジ９，１４は、夫々、ヒンジ本体１０，１５を有している。該ヒンジ本体１０，１５は、この実施形態において、ヘッドバンド２の関連する端部セクション２Ｃ，２Ｄにおいて回転可能（図４の矢印Ｒ２参照）に支持されている大略円筒（円柱）として示されている。これは、図９に関連して以下に記載するように、格納のために、イヤーピース３，５をヘッドバンド２に向けて折り畳むと共に、互いに向けて内側に折り畳むことを許容するための、付加的な調整機能を提供するであろう。
【００２１】
図示の実施形態において、ヘッドバンド２は、２つの大略平行で間隔を置いたバンド部材２Ａ，２Ｂを有している。該バンド部材２Ａ，２Ｂは、その各々の端部において（ヘッドバンドの対応する端部領域２Ｃ，２Ｄにおいて）、ヒンジシート２１Ａ，２１Ｂが備えられている。該ヒンジシート２１Ａ，２１Ｂは、それに対して、別々に取り付けられることができ、或いは、バンド部材２Ａ，２Ｂと一体に形成されることができる。円筒（円柱）のヒンジ本体１０，１５は、シート２１Ａ，２１Ｂの円筒（円柱）中心軸ＣＣの周りで回転Ｒ２できるように支持されている。特に、減じられた直径を有する部分１９Ａ，１９Ｂが、ヒンジ本体１０，１５の各端部に形成されており、各バンド部材２Ａ，２Ｂの端部における対応するシート２１Ａ，２１Ｂのジャーナル（軸首、journalled）をなしている。このような実施形態において、円筒（円柱）のヒンジ本体１０，１５は、シート２１Ａ，２１Ｂにおいて支持されるのみならず、２つのヘッドバンド部材２Ａ，２Ｂに文字通り相互接続されることができる。この後者のケース（場合）において、また、ヒンジ本体１０，１５がシート２１Ａ，２１Ｂに回転可能に支持されている上記実施形態において、不用意な分解を防止するべく、（図３及び図５に大略示されている）止め具（留め具）若しくは他の手段が、各ヒンジ本体の端部に設けられるべきである。
【００２２】
各ヒンジ本体１０，１５には、主として円周に（周囲に）連続的な第１の貫通孔（through-bore）１１，１６が備えられている。この第１の貫通孔１１，１６は、各ワイヤーループ７，８の第１のレグ７Ａ，８Ａをループ７，８の中心軸ＣＬの回りで回転可能（図５の矢印Ｒ１）に受け入れると共に、該各ワイヤーループ７，８の第１のレグ７Ａ，８Ａを中心軸ＣＬの方向における長手方向の変位（図４の矢印Ｄ）が可能であるように受け入れるべく、各本体１０，１５を大略直径方向に延在（貫通）している。上記中心軸ＣＬは、また、第１の貫通孔１１，１６の中心軸を示し得る。上記ヒンジ９，１４の各々は、更に、各ヒンジ本体１０，１５を、同様に、大略直径方向に延在（貫通）する第２の貫通孔（through-bore）１２，１７を有する。第１の貫通孔１１，１６及び第２の貫通孔１２，１７は、その本体の中心軸ＣＣに大略直交する方向に、各ヒンジ本体１０，１５を通して延在すると共に、平行なループレグ７Ａ，７Ｂ，８Ａ，８Ｂ間の距離に本質的に対応する中心軸に沿って互いに所定距離を隔てて、各ヒンジ本体を通して延在する。その全長に沿って、第２の貫通孔１２，１７は、関連するヒンジ本体１０，１５の一側面側１３，１８の外部に開口している（開いている）。この開口穴（開口ボア）の目的は、第２のループレグ７Ｂ，８Ｂが、第１のループレグ７Ａ，７Ｂの軸ＣＬの回りにおけるループ７，８の枢動（回動、pivoting movement）（図５の矢印Ｐ）により、第２の貫通孔１２，１７内に解放可能に受け入れられるようにすることにある。それがヒンジ本体１０，１５の２貫通孔１２，１７内に回動せしめられた位置において、各ループ７，８の第２のループレグ７Ｂ，８Ｂは、好ましくは、同様に、該レグの方向における長手方向の変位のために、各ヒンジ本体内に受け入れられる。
【００２３】
ヘッドバンド２に対するイヤーピース３，５の位置の調整を通してヘッドフォンのサイズについて、簡単（簡便）で無段の調整を許容するために、また、該イヤーピースがセット位置（設定位置）を維持することを許容するために、先ず、ループレグ７Ａ，８Ａは、所定の干渉フィットをもって、関連する第１の貫通孔１１，１６内に受け入れられることが好ましいであろう。同様に、更に、この機能を改善するために、第２のループレグ７Ｂ，８Ｂは、所定の干渉フィットをもって、関連する第２の貫通孔１２，１７内に受け入れられることができる。
【００２４】
特に、図５，図６Ｂ及び図７Ｂに示されるように、第２の貫通孔１２，１７の開口側は、好ましくは、第２の貫通孔（第２のボア）１２，１７の円周（周囲、外周、circumference）からヒンジ本体１０，１４の外部（外側）に至る、該第２の貫通孔の全長にわたって延在する溝１３，１８により形成される。各ヒンジ本体１０，１４の縦断面（図）に示されているように、溝１３，１８は、第１の貫通孔１１，１６の中心軸ＣＬを中心とする円の一部に合致する弓形（アーチ形）を有している。該調整機構の更なる展開において、弓形状（アーチ形状）の溝１３，１８の少なくとも一部は、第２のループレグ７Ｂ，８Ｂの断面寸法よりも僅かに狭くなっており、これにより、溝１３，１８を通して第２の貫通孔１２，１７内への第２のループレグ７Ｂ，８Ｂの挿入に対して、適度な抵抗が与えられるようになっていると共に、第２の貫通孔から第２のループレグの取り外しに対して、適度な抵抗が与えられるようになっている。これは、図６Ａ、図６Ｂ及び図８Ａに示されるように、通常の使用時に、イヤーピース３，５を聴取位置ＬＰに確実に維持するであろう。
【００２５】
本発明の上記目的は、従来の調整に関して本質的な改良（改善）を提供すると共に、費用（コスト）効率が高い製造を実現する、記載したヘッドフォンアセンブリ１の手段により、達成される。
【００２６】
上記組み合わされた調整機構をもって、本発明のヘッドフォンアセンブリは、図８Ａに概略的に示すように、イヤーピース３，５を関連するワイヤーループ７，８上で任意の方向Ｄに単にスライドさせるだけで、容易にサイズ調整を行うことができる。更なる調整機能は、側面の（横向きの、斜めの、sideways）開口溝１３，１８を有する第２の貫通孔１２，１７の形成により、許容されている。当該側面の開口溝１３，１８により、ワイヤーループ７，８は、図６Ａ、図６Ｂ及び図８Ａに示されているアクティブ（活動的）な聴取位置ＬＰから、図７Ａ，図７Ｂ及び図８Ｂに示されている快適でイナクティブ（非活動的）な着用位置ＷＰに、揺動せしめられることができる。聴取位置ＬＰにおいて、第２のループレグ７Ｂ，８Ｂが、関連する貫通孔１２，１７の内側に完全に位置せしめられるように、ワイヤーループ７，８は、揺動せしめられる。これは、イヤーピースが、関連する円筒形状のヒンジ本体１０，１５と大略整列状態で位置決めされることを意味しており、換言すれば、これは、イヤーピースが、ヘッドバンド２の大略平面に対して直角に位置決めされることを意味する。この位置において、イヤーピースは、使用者の耳に対して、快適に載置される。イナクティブな着用位置ＷＰに対する調整のために、ワイヤーループ７，８は、第１のループレグ７Ａ，８Ａの中心軸ＣＬの回りで回転せしめられる。これにより、第２のループレグ７Ｂ，８Ｂは、第２の貫通孔１２，１７及び関連する弓状溝１３，１８から外側へ揺動せしめられる。これは、次いで、イヤーピースを関連する円筒状ヒンジ本体１０，１５に対して大略直角に位置決めする。換言すれば、これは、イヤーピースをヘッドバンド２の大略平面と整列状態に位置決めする。このイナクティブな着用位置ＷＰにおいて、イヤーピースは、使用者のあごと胸の上部との間に挟まれて不愉快な思いをすることなく、使用者の胸の上部若しくは首の下部に対して、快適に載置される。
【００２７】
上記実施形態の他の本質的な利点は、任意に、更なる第３の調整機能を付加する可能性にある。これは、ヘッドバンド２の端部セクション２Ｃ，２Ｄにおける円筒状ヒンジ本体１０，１５の回転支持によって達成される。これは、イヤーピース３，５とヒンジ９，１４との完全な組み合わせを、円筒状ヒンジ本体１０，１５の中心線ＣＣの回りで、図９に示される収納位置ＳＰの方向へ回転させることを可能にする。図９に示されるように、イヤーピース３，５は、その聴取位置ＬＰ、若しくは、そのイナクティブな着用位置ＷＰのいずれかにおいて、上記収納位置ＳＰに向けて揺動せしめられることができる。上記進歩性を有する調整構造（構成）をもって、上記３つの調整機能の全てが、ワイヤーループとヒンジ本体とを備えた、１つの同じ機構により実現されることは、注目されるべきことである。
【００２８】
本発明のヘッドフォンアセンブリの上記第１実施形態を僅かに変形した、他の実施形態は、図１０に示されている。この変形形態は、上記第１実施形態と大略同一の原理に基づくものである。従って、主たる相違点のみ、以下に詳細に記載することとし、対応するパーツ若しくは類似するパーツは、同一の参照符合が付される。この変形形態は、進歩性を有する解決策が、大きな利点と共に、ヘッドバンドヒンジ３０の提供と組み合わされ得る点を示すものである。このヘッドバンドヒンジ３０は、ヘッドバンド沿いの略中間にあり、それ自体、従来技術で良く知られているものである。そのようなヘッドバンドヒンジ３０の付加により、ヘッドフォンアセンブリの全体が、極めてコンパクトな収納位置ＳＰ２に折り畳まれ得る。
【００２９】
本発明の基本的な原理を適用できる１つのタイプのヘッドフォンアセンブリの例示的な実施形態を参照して、本発明を記載し図示したが、本発明は、同様に、そのコンポーネントパーツの特定の構造（構成）に関する多数の変形を含むものであることが、強調されるべきである。本発明について特に説明した実施形態ではないものの、そのような選択肢の１例として、イヤーピースのヒンジ本体は、円筒（円柱）として形成されなくとも良く、他の幾何学的形状をもって形成されても良い。その例は、楕円（長円）、四角形、若しくは他の多角形、の断面を有する本体であり、従って、ヘッドバンドの端部セクションにおける回転のために支持されない。そのような構造（構成）において、調整機構は、従って、２つの調整機能のみを有することができる。同様に、本発明の最も広いスコープにおいて、ループレグと、関連する貫通孔とが、上記した円形断面を有することは、必要でない。任意に、他の断面が、ループレグと貫通孔の何れか一方、若しくは両方、に用いられても良い。好ましくは、摩擦抵抗を克服し、ループレグの上記変位や回転（回動）／揺動が許容されるように、ループレグの形状と、貫通孔の形状とが、互いに、適合せしめられる限り、多角形や楕円形（長円形）の断面形状は、異なった組み合わせにおいて可能である。利用（適用）可能な断面の組み合わせは、円形孔（円形ボア）に確実に適合（フィット）する八角形のループレグセクションであって、その対角線が実質的にその孔の直径に等しい、若しくは逆になっている、八角形のループレグセクションによって、或いは、円形孔（円形ボア）に確実に適合（フィット）する楕円（長円）形のループレグセクション、若しくは逆になっている、ループレグセクションによって、或いは、第２のループレグと第２の貫通孔の両方に対して、僅かに相違し相互にフィットする寸法構成を有する、四角形のセクションによって、例示されることができる。幾つかの他の断面の組み合わせは、可能である。最後に、ヘッドバンドは、２つの分離した大略平行なパーツから構成する必要はない。それは、その端部セクションに設けられたヒンジ本体サポートを備えた、１つの広い又は狭いバンドから形成されることができる。
【００３０】
本発明は、最も実際的（実用的）であり且つ好ましい実施形態であると、現在、考えられるものに関連して、記載された。しかし、本発明は、上記開示された実施形態に限定されないことが理解されるべきである。従って、本発明は、添付の特許請求の範囲の精神及びスコープの範囲内にある、種々の変形形態、及び均等な構成、を含むことが意図されている。
【図１】
2012531806.tif 000003
【図２】
2012531806.tif 000004
【図３】
2012531806.tif 000005
【図４】
2012531806.tif 000006
【図５】
2012531806.tif 000007
【図６Ａ】
2012531806.tif 000008
【図６Ｂ】
2012531806.tif 000009
【図７Ａ】
2012531806.tif 000010
【図７Ｂ】
2012531806.tif 000011
【図８Ａ】
2012531806.tif 000012
【図８Ｂ】
2012531806.tif 000013
【図９】
2012531806.tif 000014
【図１０】
2012531806.tif 000015
【手続補正書】
【提出日】平成24年6月21日(2012.6.21)
【手続補正１】
【補正対象書類名】明細書
【補正対象項目名】全文
【補正方法】変更
【補正の内容】
【発明の詳細な説明】
【技術分野】
【０００１】
本発明は、一般に、オーディオアクセサリに関し、特に、オーディオヘッドフォン／ヘッドセットに関する。
【背景技術】
【０００２】
ヘッドフォン及び／又はヘッドセットは、今日、音楽やオーディオブックを聴いたり、電話やコンピュータを通して会話を行ったりする等、様々な年代の人々により、広範囲に様々に利用されている。このような利用の殆どにおいて、当然、音質は、非常に重要である。しかし、同様に、ヘッドフォンは、長時間使用の場合、着心地が良くて、使用者に適切にフィットすることが非常に重要である。この目的のため、ヘッドフォンは、ヘッドフォンイヤーピース又はイヤーキャップの圧力が、あらゆる使用者の耳に対して、着心地が良くて（快適で）均一なものとなるように、弾力的な材料からなるヘッドバンドを有することができる。ヘッドフォンは、また、各使用者の耳の位置にフィットするように、寸法的に調整可能であっても良い。
【０００３】
また、使用者にとって重要であり得る、ヘッドフォンの更なる特徴は、イヤーピースが、ヘッドバンドの大略面（平面）に大略垂直に延在する聴取位置から、イヤーピースが該面（平面）に延在する位置まで、調整可能であることである。このような調整は、使用者が、聴取を一時的に休止する間、ヘッドフォンの首回りの装着をより快適なものとする。更に、一般的な他の望ましい特徴は、ヘッドフォンが、非使用時に、バッグやポケットの中に容易に仕舞えるように、容易に折りたためることである。
【０００４】
上記タイプのヘッドフォン用調整機能の少なくとも幾つかを実現する、ヘッドフォンの調整機構のために、数多くの解決策が提案されてきている。しかしながら、そのような従来技術の解決策の殆ど、そして、特に、１つ以上の調整機能を実現する解決策の殆どは、各機能用の分離した機構を有しており、複雑である。そのような解決策の例は、たとえば、米国特許第７，１７２，０５２Ｂ２号明細書や、米国特許出願第２００６／００６２４１７Ａ１号明細書に見出される。これは、ヘッドフォンの製造（制作）を高価なものとし、そして、多くの場合、その調整機構を扱いにくいもの（不便なもの）とすると共に非審美的なものとしている。
【先行技術文献】
【特許文献】
【０００５】
【特許文献１】米国特許第７，１７２，０５２Ｂ２号明細書
【特許文献２】米国特許出願第２００６／００６２４１７Ａ１号明細書
【発明の概要】
【発明が解決しようとする課題】
【０００６】
快適であり且つ適切に調整することができるオーディオヘッドフォンアセンブリを妥当な価格で製造（生産）することを可能にする解決策に対する一般的必要性が存在している。
【０００７】
従って、本発明の一般的（概括的）な目的は、容易に調整可能である改良されたヘッドフォンアセンブリであって、複雑ではなく且つ高価ではない調整構造（adjustment configuration）を有するヘッドフォンアセンブリを提供することである。
【０００８】
本発明の特別の目的は、異なった使用者及び異なった使用フェーズ（状態、段階）の両方に対して適合（適応）し、且つ、また、コスト（費用）効率が高い方法で製造されることができるヘッドフォンアセンブリであって、容易であり且つ融通が利く調整が可能である、改良された調整構造を有するヘッドフォンアセンブリを提案することである。
【０００９】
本発明の他のアスペクトに係る目的は、３つの異なる（明確な、別個の）方向（向き、senses）において容易であり且つ融通が利く調整が可能な、妥当なコストの改良された調整構造を有するヘッドフォンアセンブリを提供することである。
【課題を解決するための手段】
【００１０】
これらの目的や他の目的は、特許請求の範囲に記載された本発明により、達成される。
【００１１】
本発明は、一般に、各端部領域に取り付けられたイヤーピース及びスピーカー部材（エレメント）を備えたヘッドバンドを有するタイプのヘッドフォン又はヘッドセットアセンブリに関する。特に、それは、ヘッドバンドに関するイヤーピースの位置が、ヘッドフォンアセンブリのサイズを制御する目的、及び、イヤーピースをアクティブ（活動的）な聴取位置に設定、若しくはイナクティブ（非活動的）な着用位置に設定、する目的、の両方に対して、調整自在である、そのようなアセンブリに関する。容易に操作可能であり且つ廉価な調整構造を実現するために、本発明の基本概念は、イヤーピースの位置決め機能と同様に、サイズ（寸法）の制御機能（コントロール機能）が、単一の同じ調整機構に組み合わされている、そのような調整構造を提供することにある。この組み合わされた調整機構は、一端部でイヤーピースに取り付けられると共に、第２の端部で相互に接続（連結）される、２つの隔てられたレグを備えるワイヤーループと、ヘッドバンドの端部領域で支持され本体を有するイヤーピースヒンジとを有する。この本体は、その自らの軸回りで回転できるように第１のループレグを受け入れるべく該本体を通して延在する第１の貫通孔と、上記本体を通して延在する第２の貫通孔であって、第１のレグの軸を中心とするループの枢軸運動（回動運動、回転運動）を通して第２のループレグを受け入れるべくその全長に沿って外部に開いて（開口して）いる第２の貫通孔と、を有する。これにより、使用するコンポーネントパーツは少なくて済み、従って、費用効率（費用効果）が非常に高い製造（生産）が可能になる。
【００１２】
本発明の他のアスペクトによれば、付加的な調整を許容する、更に改良されたヘッドフォンアセンブリが提供される。このアスペクトの基本概念は、ヘッドバンドの関連する端部セクションにおいて、回動（回転）自在に支持される円筒形状（円柱形状）のヒンジ本体を提供することにある。これにより、各イヤーピースは、格納のために、ヘッドバンドに向けて折り畳まれることができる。これは、更に、組み合わされた調整機能を同一の調整機構に付加し、これにより、機能性対費用の観点から、それを、なお一層、コスト効率（効果）の高いものとするであろう。
【００１３】
その実施形態と同様に、進歩性を有する基本的概念の好ましい更なる展開は、従属項に記載されている。
【００１４】
上記したものに加えて、本発明により提供される利点（長所）は、本発明の実施形態に関する下記の詳細な記載を読めば、容易に理解できるであろう。
【図面の簡単な説明】
【００１５】
【図１】本発明の１実形態に係るヘッドフォンアセンブリの概略斜視図である。
【図２】図１のアセンブリのワイヤーループを有するイヤーピースの詳細図である。
【図３】図１のヘッドフォンアセンブリのヘッドバンド端部領域におけるイヤーピースヒンジの概略詳細図である。
【図４】図１のアセンブリの調整機構の部分側面図である。
【図５】調整機構のヒンジ本体に関する、図４のＡ−Ａ線縦断面図である。
【図６Ａ】聴取位置における調整機構の斜視図である。
【図６Ｂ】聴取位置における調整機構を部分断面で示す上面図である。
【図７Ａ】着用位置における調整機構の斜視図である。
【図７Ｂ】着用位置における調整機構を部分断面で示す上面図である。
【図８Ａ】聴取位置における図１のヘッドフォンアセンブリの概略前面図である。
【図８Ｂ】着用位置における図１のヘッドフォンアセンブリの概略前面図である。
【図９】格納位置における図１のヘッドフォンアセンブリの前面図であり、図８Ａ及び図８Ｂに類似する図である。
【図１０】本発明のヘッドフォンアセンブリの変形例に係る、図９に類似する前面図である。
【発明を実施するための形態】
【００１６】
本発明は、添付図面に示されるところの例示的な実施形態を参照して、説明される。当該図面には、進歩性を有するヘッドフォン構造（構成）の概略実施形態が示されている。示され、後に記載される例示的な本発明の実施形態は、概略的に記載されたヘッドフォンアセンブリに対する、進歩性を有する解決策の適用に関するものである。その説明は、本発明の好ましい実施形態を記載する目的のためになされるものであり、細部に至るまで発明を限定することを意図するものではない点が強調される。同様に、この発明の目的のために、「ヘッドフォン」という用語は、また、ヘッドセット等の類似のアクセサリを含む点が強調される。
【００１７】
複数の調整機能を有する従来のヘッドフォンが、一般的に、かなり複雑な調整機構を有していることは、発明者によって認識されてきたことであり、また、冒頭で簡単に説明された。これは、１つには、物理的に分離されたヒンジ及び他の機構が種々の調整機能を奏するように用いられている、という事実による。そのような構造の結果は、多くの場合、多数の分離したコンポーネントパーツの取り扱いとアセンブリ（組み立て）に関係するところの、かなり複雑であるのみならず、高価である、組み立て（製作、製造）プロセスである。加えて、そのような従来技術のヘッドフォン若しくはヘッドセットアセンブリは、大部分、その調整機構に関して、かなり嵩張り、そして非審美的である。
【００１８】
複数の調整機能を有する周知のヘッドフォンアセンブリの上記外観と製造（製作）に関連する、上記不都合と問題点とを克服するために、本発明は、そのような調整機構構成（構造）に対して、新しいアプローチを提案する。本発明により提供される解決策により、複雑でない機能、スリムで魅力的な外観（外見）、及び、低減される製造・組立費用の観点において、有利な改良が達成される。基本的に、本発明の有利な結果（効果）の全ては、全く同一の調整機構における幾つかの調整機能のユニークな組み合わせによって、達成される。
【００１９】
本発明は、以下に、添付図面に示される例示的な実施形態を参照して、詳細に説明される。本発明の１実施形態は、図１〜９に示されている。この１実施形態は、（非常に概略的に示す）関連するスピーカーユニット４，６を備えた１対のイヤーピース若しくはイヤーキャップ３，５を有する一般的なタイプの概略的に説明したヘッドフォンアセンブリ１に対する、進歩性を有する解決策の適用に関する。このイヤーピース３，５は、一般に、相互に連結されているヘッドバンド２の各端部領域２Ｃ，２Ｄに取り付けられており、ヘッドバンドに対して少なくとも２つの方向にイヤーピースの位置を調整できるように、直接的若しくは間接的に、ヘッドバンドに調整可能に結合（接続）されている。
【００２０】
本発明によれば、複数の調整機能を組み合わせる（連合させる、結合させる）調整機構は、各イヤーピース３，５を調整可能に支持するためのワイヤーループ７，８を有する。該ワイヤーループ７，８は、夫々、本質的に、間隔を置いて平行であるレグ７Ａ，７Ｂ及び８Ａ，８Ｂを有しており、該レグ７Ａ，７Ｂ及び８Ａ，８Ｂは、夫々、一端部７Ｄ，７Ｅ及び８Ｄ，８Ｅにおいて、互いに該レグ間の間隔（スペース）に本質的に対応する距離をもって、各イヤーピース３，５に取り付けられている。ワイヤーループ７，８の上記レグは、夫々、第２の端部７Ｃ，８Ｃにおいて相互に接続（連結）されている（図２及び図４参照）。ワイヤーループ７，８は、金属のワイヤー材料から形成することができるが、合成樹脂材料等の適切な特性（性質）を有する他の材料は、同様に、用いることができる。
【００２１】
各イヤーピース３，５に対して、上記調整機構は、更に、一般に９及び１４で示されるヒンジを、夫々、有しており、それは、夫々、ヘッドバンドの端部領域２Ｃ，２Ｄで支持されている。該ヒンジ９，１４は、夫々、ヒンジ本体１０，１５を有している。該ヒンジ本体１０，１５は、この実施形態において、ヘッドバンド２の関連する端部セクション２Ｃ，２Ｄにおいて回転可能（図４の矢印Ｒ２参照）に支持されている大略円筒（円柱）として示されている。これは、図９に関連して以下に記載するように、格納のために、イヤーピース３，５をヘッドバンド２に向けて折り畳むと共に、互いに向けて内側に折り畳むことを許容するための、付加的な調整機能を提供するであろう。
【００２２】
図示の実施形態において、ヘッドバンド２は、２つの大略平行で間隔を置いたバンド部材２Ａ，２Ｂを有している。該バンド部材２Ａ，２Ｂは、その各々の端部において（ヘッドバンドの対応する端部領域２Ｃ，２Ｄにおいて）、ヒンジシート２１Ａ，２１Ｂが備えられている。該ヒンジシート２１Ａ，２１Ｂは、それに対して、別々に取り付けられることができ、或いは、バンド部材２Ａ，２Ｂと一体に形成されることができる。円筒（円柱）のヒンジ本体１０，１５は、シート２１Ａ，２１Ｂの円筒（円柱）中心軸ＣＣの周りで回転Ｒ２できるように支持されている。特に、減じられた直径を有する部分１９Ａ，１９Ｂが、ヒンジ本体１０，１５の各端部に形成されており、各バンド部材２Ａ，２Ｂの端部における対応するシート２１Ａ，２１Ｂのジャーナル（軸首、journalled）をなしている。このような実施形態において、円筒（円柱）のヒンジ本体１０，１５は、シート２１Ａ，２１Ｂにおいて支持されるのみならず、２つのヘッドバンド部材２Ａ，２Ｂに文字通り相互接続されることができる。この後者のケース（場合）において、また、ヒンジ本体１０，１５がシート２１Ａ，２１Ｂに回転可能に支持されている上記実施形態において、不用意な分解を防止するべく、（図３及び図５に大略示されている）止め具（留め具）若しくは他の手段が、各ヒンジ本体の端部に設けられるべきである。
【００２３】
各ヒンジ本体１０，１５には、主として円周に（周囲に）連続的な第１の貫通孔（through-bore）１１，１６が備えられている。この第１の貫通孔１１，１６は、各ワイヤーループ７，８の第１のレグ７Ａ，８Ａをループ７，８の中心軸ＣＬの回りで回転可能（図５の矢印Ｒ１）に受け入れると共に、該各ワイヤーループ７，８の第１のレグ７Ａ，８Ａを中心軸ＣＬの方向における長手方向の変位（図４の矢印Ｄ）が可能であるように受け入れるべく、各本体１０，１５を大略直径方向に延在（貫通）している。上記中心軸ＣＬは、また、第１の貫通孔１１，１６の中心軸を示し得る。上記ヒンジ９，１４の各々は、更に、各ヒンジ本体１０，１５を、同様に、大略直径方向に延在（貫通）する第２の貫通孔（through-bore）１２，１７を有する。第１の貫通孔１１，１６及び第２の貫通孔１２，１７は、その本体の中心軸ＣＣに大略直交する方向に、各ヒンジ本体１０，１５を通して延在すると共に、平行なループレグ７Ａ，７Ｂ，８Ａ，８Ｂ間の距離に本質的に対応する中心軸に沿って互いに所定距離を隔てて、各ヒンジ本体を通して延在する。その全長に沿って、第２の貫通孔１２，１７は、関連するヒンジ本体１０，１５の一側面側１３，１８の外部に開口している（開いている）。この開口穴（開口ボア）の目的は、第２のループレグ７Ｂ，８Ｂが、第１のループレグ７Ａ，７Ｂの軸ＣＬの回りにおけるループ７，８の枢動（回動、pivoting movement）（図５の矢印Ｐ）により、第２の貫通孔１２，１７内に解放可能に受け入れられるようにすることにある。それがヒンジ本体１０，１５の２貫通孔１２，１７内に回動せしめられた位置において、各ループ７，８の第２のループレグ７Ｂ，８Ｂは、好ましくは、同様に、該レグの方向における長手方向の変位のために、各ヒンジ本体内に受け入れられる。
【００２４】
ヘッドバンド２に対するイヤーピース３，５の位置の調整を通してヘッドフォンのサイズについて、簡単（簡便）で無段の調整を許容するために、また、該イヤーピースがセット位置（設定位置）を維持することを許容するために、先ず、ループレグ７Ａ，８Ａは、所定の干渉フィットをもって、関連する第１の貫通孔１１，１６内に受け入れられることが好ましいであろう。同様に、更に、この機能を改善するために、第２のループレグ７Ｂ，８Ｂは、所定の干渉フィットをもって、関連する第２の貫通孔１２，１７内に受け入れられることができる。
【００２５】
特に、図５，図６Ｂ及び図７Ｂに示されるように、第２の貫通孔１２，１７の開口側は、好ましくは、第２の貫通孔（第２のボア）１２，１７の円周（周囲、外周、circumference）からヒンジ本体１０，１４の外部（外側）に至る、該第２の貫通孔の全長にわたって延在する溝１３，１８により形成される。各ヒンジ本体１０，１４の縦断面（図）に示されているように、溝１３，１８は、第１の貫通孔１１，１６の中心軸ＣＬを中心とする円の一部に合致する弓形（アーチ形）を有している。該調整機構の更なる展開において、弓形状（アーチ形状）の溝１３，１８の少なくとも一部は、第２のループレグ７Ｂ，８Ｂの断面寸法よりも僅かに狭くなっており、これにより、溝１３，１８を通して第２の貫通孔１２，１７内への第２のループレグ７Ｂ，８Ｂの挿入に対して、適度な抵抗が与えられるようになっていると共に、第２の貫通孔から第２のループレグの取り外しに対して、適度な抵抗が与えられるようになっている。これは、図６Ａ、図６Ｂ及び図８Ａに示されるように、通常の使用時に、イヤーピース３，５を聴取位置ＬＰに確実に維持するであろう。
【００２６】
本発明の上記目的は、従来の調整に関して本質的な改良（改善）を提供すると共に、費用（コスト）効率が高い製造を実現する、記載したヘッドフォンアセンブリ１の手段により、達成される。
【００２７】
上記組み合わされた調整機構をもって、本発明のヘッドフォンアセンブリは、図８Ａに概略的に示すように、イヤーピース３，５を関連するワイヤーループ７，８上で任意の方向Ｄに単にスライドさせるだけで、容易にサイズ調整を行うことができる。更なる調整機能は、側面の（横向きの、斜めの、sideways）開口溝１３，１８を有する第２の貫通孔１２，１７の形成により、許容されている。当該側面の開口溝１３，１８により、ワイヤーループ７，８は、図６Ａ、図６Ｂ及び図８Ａに示されているアクティブ（活動的）な聴取位置ＬＰから、図７Ａ，図７Ｂ及び図８Ｂに示されている快適でイナクティブ（非活動的）な着用位置ＷＰに、揺動せしめられることができる。聴取位置ＬＰにおいて、第２のループレグ７Ｂ，８Ｂが、関連する貫通孔１２，１７の内側に完全に位置せしめられるように、ワイヤーループ７，８は、揺動せしめられる。これは、イヤーピースが、関連する円筒形状のヒンジ本体１０，１５と大略整列状態で位置決めされることを意味しており、換言すれば、これは、イヤーピースが、ヘッドバンド２の大略平面に対して直角に位置決めされることを意味する。この位置において、イヤーピースは、使用者の耳に対して、快適に載置される。イナクティブな着用位置ＷＰに対する調整のために、ワイヤーループ７，８は、第１のループレグ７Ａ，８Ａの中心軸ＣＬの回りで回転せしめられる。これにより、第２のループレグ７Ｂ，８Ｂは、第２の貫通孔１２，１７及び関連する弓状溝１３，１８から外側へ揺動せしめられる。これは、次いで、イヤーピースを関連する円筒状ヒンジ本体１０，１５に対して大略直角に位置決めする。換言すれば、これは、イヤーピースをヘッドバンド２の大略平面と整列状態に位置決めする。このイナクティブな着用位置ＷＰにおいて、イヤーピースは、使用者のあごと胸の上部との間に挟まれて不愉快な思いをすることなく、使用者の胸の上部若しくは首の下部に対して、快適に載置される。
【００２８】
上記実施形態の他の本質的な利点は、任意に、更なる第３の調整機能を付加する可能性にある。これは、ヘッドバンド２の端部セクション２Ｃ，２Ｄにおける円筒状ヒンジ本体１０，１５の回転支持によって達成される。これは、イヤーピース３，５とヒンジ９，１４との完全な組み合わせを、円筒状ヒンジ本体１０，１５の中心線ＣＣの回りで、図９に示される収納位置ＳＰの方向へ回転させることを可能にする。図９に示されるように、イヤーピース３，５は、その聴取位置ＬＰ、若しくは、そのイナクティブな着用位置ＷＰのいずれかにおいて、上記収納位置ＳＰに向けて揺動せしめられることができる。上記進歩性を有する調整構造（構成）をもって、上記３つの調整機能の全てが、ワイヤーループとヒンジ本体とを備えた、１つの同じ機構により実現されることは、注目されるべきことである。
【００２９】
本発明のヘッドフォンアセンブリの上記第１実施形態を僅かに変形した、他の実施形態は、図１０に示されている。この変形形態は、上記第１実施形態と大略同一の原理に基づくものである。従って、主たる相違点のみ、以下に詳細に記載することとし、対応するパーツ若しくは類似するパーツは、同一の参照符合が付される。この変形形態は、進歩性を有する解決策が、大きな利点と共に、ヘッドバンドヒンジ３０の提供と組み合わされ得る点を示すものである。このヘッドバンドヒンジ３０は、ヘッドバンド沿いの略中間にあり、それ自体、従来技術で良く知られているものである。そのようなヘッドバンドヒンジ３０の付加により、ヘッドフォンアセンブリの全体が、極めてコンパクトな収納位置ＳＰ２に折り畳まれ得る。
【００３０】
本発明の基本的な原理を適用できる１つのタイプのヘッドフォンアセンブリの例示的な実施形態を参照して、本発明を記載し図示したが、本発明は、同様に、そのコンポーネントパーツの特定の構造（構成）に関する多数の変形を含むものであることが、強調されるべきである。本発明について特に説明した実施形態ではないものの、そのような選択肢の１例として、イヤーピースのヒンジ本体は、円筒（円柱）として形成されなくとも良く、他の幾何学的形状をもって形成されても良い。その例は、楕円（長円）、四角形、若しくは他の多角形、の断面を有する本体であり、従って、ヘッドバンドの端部セクションにおける回転のために支持されない。そのような構造（構成）において、調整機構は、従って、２つの調整機能のみを有することができる。同様に、本発明の最も広いスコープにおいて、ループレグと、関連する貫通孔とが、上記した円形断面を有することは、必要でない。任意に、他の断面が、ループレグと貫通孔の何れか一方、若しくは両方、に用いられても良い。好ましくは、摩擦抵抗を克服し、ループレグの上記変位や回転（回動）／揺動が許容されるように、ループレグの形状と、貫通孔の形状とが、互いに、適合せしめられる限り、多角形や楕円形（長円形）の断面形状は、異なった組み合わせにおいて可能である。利用（適用）可能な断面の組み合わせは、円形孔（円形ボア）に確実に適合（フィット）する八角形のループレグセクションであって、その対角線が実質的にその孔の直径に等しい、若しくは逆になっている、八角形のループレグセクションによって、或いは、円形孔（円形ボア）に確実に適合（フィット）する楕円（長円）形のループレグセクション、若しくは逆になっている、ループレグセクションによって、或いは、第２のループレグと第２の貫通孔の両方に対して、僅かに相違し相互にフィットする寸法構成を有する、四角形のセクションによって、例示されることができる。幾つかの他の断面の組み合わせは、可能である。最後に、ヘッドバンドは、２つの分離した大略平行なパーツから構成する必要はない。それは、その端部セクションに設けられたヒンジ本体サポートを備えた、１つの広い又は狭いバンドから形成されることができる。
【００３１】
本発明は、最も実際的（実用的）であり且つ好ましい実施形態であると、現在、考えられるものに関連して、記載された。しかし、本発明は、上記開示された実施形態に限定されないことが理解されるべきである。従って、本発明は、添付の特許請求の範囲の精神及びスコープの範囲内にある、種々の変形形態、及び均等な構成、を含むことが意図されている。
【手続補正２】
【補正対象書類名】特許請求の範囲
【補正対象項目名】全文
【補正方法】変更
【補正の内容】
【特許請求の範囲】
【請求項１】
関連するスピーカーユニット（４，６）を有する１対のイヤーピース（３，５）であって、相互に連結されたヘッドバンド（２）の各端部領域（２Ｃ，２Ｄ）に一般に取り付けられたイヤーピース（３，５）を備え、
ヘッドバンドに対するイヤーピースの位置を少なくとも２つの方向に調整できるように、各イヤーピースは、ヘッドバンドに対して、直接的又は間接的に調整可能に関連している、オーディオヘッドフォンアセンブリ（１）において、
ワイヤーループ（７，８）とイヤーピースヒンジ（９，１４）とを有し、
ワイヤーループ（７，８）は、夫々、本質的に平行で間隔を置いた２つのレグ（７Ａ，７Ｂ，８Ａ，８Ｂ）であって、１端部（７Ｄ，７Ｅ，８Ｄ，８Ｅ）において、各イヤーピースに取り付けられると共に、第２端部（７Ｃ，８Ｃ）において、相互に連結されている、レグ（７Ａ，７Ｂ，８Ａ，８Ｂ）を有し、
イヤーピースヒンジ（９，１４）は、夫々、ヘッドバンドの各端部領域（２Ｃ，２Ｄ）で支持され、
イヤーピースヒンジ（９，１４）は、夫々、大略連続的な第１の貫通孔（１１，１６）と、第２の貫通孔（１２，１７）と、を備えたヒンジ本体（１０，１５）であって、第１の貫通孔（１１，１６）は、ループの第１のレグ（７Ａ，８Ａ）をその中心軸（ＣＬ）の回りで回動できるように受け入れると共に、ループの第１のレグ（７Ａ，８Ａ）を該軸の方向における長手方向（Ｄ）に変位できるように受け入れるべく、ヒンジ本体を通して延在しており、第２の貫通孔（１２，１７）は、第１の貫通孔に平行であり且つ上記ループのレグの間隙に実質的に等しい第１の貫通孔からの所定距離を置いてヒンジ本体を通して延在しており、第２の貫通孔（１２，１７）は、第１のレグの上記軸の回りにおけるループの回動を通してループの第２のレグ（７Ｂ，８Ｂ）を解放自在に受け入れるべく、ヒンジ本体の一方の側に、その全長に沿って、外部に開口している、ヒンジ本体（１０，１５）を有することを特徴とする、オーディオヘッドフォンアセンブリ。
【請求項２】
少なくとも一方のイヤーピース（３，５）の聴取位置（ＬＰ）における各ループ（７，８）の上記第２のレグ（７Ｂ，８Ｂ）は、該レグの方向に変位できるように、上記ヒンジ本体（１０，１５）に受け入れられていることを特徴とする、請求項１記載のオーディオヘッドフォンアセンブリ。
【請求項３】
少なくとも上記ループの第１のレグ（７Ａ，８Ａ）は、所定の干渉フィットをもって、関連する上記第１の貫通孔（１１，１６）に受け入れられていることを特徴とする、請求項１又は２記載のオーディオヘッドフォンアセンブリ。
【請求項４】
上記ループの第２のレグ（７Ｂ，８Ｂ）は、同様に、所定の干渉フィットをもって、関連する上記第２の貫通孔（１２，１７）に受け入れられていることを特徴とする、請求項２又は３記載のオーディオヘッドフォンアセンブリ。
【請求項５】
上記ヒンジ本体（１０，１５）は、大略円柱であり、
上記第１の貫通孔（１１，１６）と第２の貫通孔（１２，１７）は、その中心軸（ＣＣ）に対して略直角にそれを通して延在すると共に、該中心軸（ＣＣ）に沿って互いに所定距離を置いて延在していることを特徴とする、請求項１〜４のいずれかに記載のオーディオヘッドフォンアセンブリ。
【請求項６】
上記円柱のヒンジ本体（１０，１５）は、夫々、上記ヘッドバンド（２）の関連する端部セクション（２Ｃ，２Ｄ）で回動自在に支持されていることを特徴とする、請求項５記載のオーディオヘッドフォンアセンブリ。
【請求項７】
上記円柱のヒンジ本体（１０，１５）は、該円柱の中心軸（ＣＣ）の回りで回動するように支持されており、これにより、上記イヤーピース（３，５）が、夫々、収納のため、上記ヘッドバンド（２）に向けて折り畳めるようになっていることを特徴とする、請求項６記載のオーディオヘッドフォンアセンブリ。
【請求項８】
上記第２の貫通孔（１２，１７）の上記開口している側は、該第２の貫通孔の外周から上記ヒンジ本体（１０，１５）の外部に至る、該第２の貫通孔の全長にわたって延在する溝（１３，１８）によって形成されていることを特徴とする、請求項１〜７のいずれかに記載のオーディオヘッドフォンアセンブリ。
【請求項９】
上記溝（１３，１８）は、上記第１の貫通孔（１１，１６）の中心軸（ＣＬ）を中心とする円の一部に合致する弓形を有していることを特徴とする、請求項８記載のオーディオヘッドフォンアセンブリ。
【請求項１０】
上記弓形の溝（１３，１８）の少なくとも一部は、上記ループの第２のレグ（７Ｂ，８Ｂ）の断面寸法よりも僅かに狭くなっており、これにより、該溝を通して第２の貫通孔（１２，１７）内への第２のレグの挿入に対して、適度な抵抗が与えられるようになっていると共に、第２の貫通孔から第２のレグの取り外しに対して、適度な抵抗が与えられるようになっていることを特徴とする、請求項８又は９記載のオーディオヘッドフォンアセンブリ。
【国際調査報告】
2012531806.tif 000016
2012531806.tif 000017
2012531806.tif 000018
2012531806.tif 000019